【手続補正書】
【提出日】令和3年1月27日(2021.1.27)
【手続補正１】
【補正対象書類名】特許請求の範囲
【補正対象項目名】全文
【補正方法】変更
【補正の内容】
【特許請求の範囲】
【請求項１】
車両（Ａ）において用いられ、ヘッドアップディスプレイ（２０）による表示を制御する表示制御装置であって、
前記車両の前景に存在する特定の重畳対象（Ｔｒ）に重畳表示される重畳コンテンツ（ＣＴｓ）と、前記重畳対象に表示位置を関連付けられない非重畳の状態で前記前景に重畳表示される非重畳コンテンツ（ＣＴｎ）と、を生成する表示生成部（７７）と、
前記重畳対象に関連した特定位置（ＧＰ）までの距離（Ｄｒ）又は当該特定位置に到達するまでの時間を把握する対象位置把握部（７５）と、を備え、
前記表示生成部は、
前記重畳コンテンツの表示に先立ち、前記重畳コンテンツと実質的に同じ意味を示す前記非重畳コンテンツを表示させ、
前記対象位置把握部によって把握される前記距離又は前記時間が閾値（ＴＨｓ）未満となったことに基づき、前記重畳コンテンツを前記重畳対象に重畳表示させる表示制御装置。
【請求項２】
車両（Ａ）において用いられ、ヘッドアップディスプレイ（２０）による表示を制御する表示制御装置であって、
前記車両の前景に存在する特定の重畳対象（Ｔｒ）に重畳表示される重畳コンテンツ（ＣＴｓ）と、前記重畳対象に表示位置を関連付けられない非重畳の状態で前記前景に重畳表示される非重畳コンテンツ（ＣＴｎ）と、を生成する表示生成部（７７）と、
前記ヘッドアップディスプレイの画角（ＶＡ）内に前記重畳対象があるか否かを判定する対象位置判定部（７６）と、を備え、
前記表示生成部は、
前記重畳コンテンツの表示に先立ち、前記重畳コンテンツと実質的に同じ意味を示す前記非重畳コンテンツを表示させ、
前記対象位置判定部によって前記画角内に前記重畳対象が入ったと判定されたことに基づき、前記重畳コンテンツを前記重畳対象に重畳表示させる表示制御装置。
【請求項３】
前記表示生成部は、前記距離又は前記時間が前記ヘッドアップディスプレイの画角（ＶＡ）形状に基づき設定された前記閾値未満となったことに基づき、前記重畳コンテンツを前記重畳対象に重畳表示させる請求項１に記載の表示制御装置。
【請求項４】
前記表示生成部は、前記対象位置判定部によって前記画角内に前記重畳対象が入ったと判定されたことに基づく前記重畳コンテンツの表示に先立ち、前記重畳コンテンツと実質的に同じ意味を示す前記非重畳コンテンツを表示させる請求項２に記載の表示制御装置。
【請求項５】
前記表示生成部は、前記重畳コンテンツの表示を開始させた後に、前記非重畳コンテンツの表示を終了させる請求項１〜４のいずれか一項に記載の表示制御装置。
【請求項６】
前記表示生成部は、前記非重畳コンテンツの表示を終了させたときに、前記重畳コンテンツの表示を開始させる請求項１〜４のいずれか一項に記載の表示制御装置。
【請求項７】
前記表示生成部は、前記非重畳コンテンツの表示を終了させた所定時間後に、前記重畳コンテンツの表示を開始させる請求項１〜４のいずれか一項に記載の表示制御装置。
【請求項８】
前記表示生成部は、前記非重畳コンテンツから前記重畳コンテンツへと表示状態を遷移させる遷移アニメーション（Ａｔｓ）を表示させる請求項６又は７に記載の表示制御装置。
【請求項９】
前記表示生成部は、前記重畳対象へ向けて移動する前記非重畳コンテンツが前記重畳コンテンツへと変化する前記遷移アニメーションを表示させる請求項８に記載の表示制御装置。
【請求項１０】
前方車両（Ａｆ）の検出情報を取得する前方情報取得部（７４）、をさらに備え、
前記表示生成部は、前記前方情報取得部にて前記前方車両の検出情報が取得されている場合に、前記遷移アニメーションの表示を中止する請求項８又は９に記載の表示制御装置。
【請求項１１】
前方車両（Ａｆ）の検出情報を取得する前方情報取得部（７４）、をさらに備える請求項１〜７のいずれか一項に記載の表示制御装置。
【請求項１２】
前記表示生成部は、
前記前方情報取得部にて前記前方車両の検出情報が取得されてない場合には、前記重畳コンテンツの表示に先立ち前記非重畳コンテンツを表示させ、
前記前方情報取得部にて前記前方車両の検出情報が取得されている場合には、前記重畳コンテンツを表示させた後に、前記非重畳コンテンツを表示させる請求項１１に記載の表示制御装置。
【請求項１３】
前記表示生成部は、前記前方情報取得部にて前記前方車両の検出情報が取得されている場合に、前記前方車両を避ける回避形状に前記重畳コンテンツの表示形状を変更する請求項１０〜１２のいずれか一項に記載の表示制御装置。
【請求項１４】
前記表示生成部は、前記非重畳コンテンツを強調する様態変更を行った後に、前記非重畳コンテンツの表示を終了させる請求項１〜１３のいずれか一項に記載の表示制御装置。
【請求項１５】
ルート案内のための経路情報を取得する経路情報取得部（７２）、をさらに備え、
前記表示生成部は、前記経路情報に基づき複数のレーンを含む交差点にてルート案内を行う場合に、各前記レーンに設定された進行方向を前記非重畳コンテンツによって表示する請求項１〜１４のいずれか一項に記載の表示制御装置。
【請求項１６】
前記表示生成部は、前記重畳コンテンツを表示させた後に、前記重畳コンテンツと実質的に同じ意味を示し、且つ、前記非重畳コンテンツとしてのプレ非重畳コンテンツ（ＣＴｎ１，Ｐｒｇ）とは異なる表示形態のポスト非重畳コンテンツ（ＣＴｎ２，Ｐｉｄ１）を表示させる請求項１〜１５のいずれか一項に記載の表示制御装置。
【請求項１７】
車両（Ａ）において用いられ、ヘッドアップディスプレイ（２０）による表示を制御する表示制御装置であって、
前記車両の前景に存在する特定の重畳対象（Ｔｒ）に重畳表示され、互いに異なる表示形態の第一重畳コンテンツ（ＣＴｓ１）及び第二重畳コンテンツ（ＣＴｓ２）と、前記重畳対象に非重畳の状態で前記前景に重畳表示される非重畳コンテンツ（ＣＴｎ）と、を生成する表示生成部（７７）と、
前記ヘッドアップディスプレイの画角（ＶＡ）内に前記重畳対象があるか否かを判定する対象位置判定部（７６）と、を備え、
前記表示生成部は、
前記第一重畳コンテンツの表示に先立ち、前記第一重畳コンテンツと実質的に同じ意味を示す前記非重畳コンテンツを、前記重畳対象に非重畳の状態で仮表示させた前記第二重畳コンテンツに重ねて表示させ、
前記対象位置判定部によって前記画角内に前記重畳対象が入ったと判定されたことに基づき、前記第二重畳コンテンツを前記重畳対象に重畳表示させると共に、前記非重畳コンテンツを前記第一重畳コンテンツへと態様変更させる表示制御装置。
【請求項１８】
車両（Ａ）において用いられ、ヘッドアップディスプレイ（２０）による表示を制御する表示制御プログラムであって、
少なくとも一つの処理部（１１）に、
前記車両の前景に存在する特定の重畳対象（Ｔｒ）に重畳表示される重畳コンテンツ（ＣＴｓ）の表示に先立ち、前記重畳コンテンツと実質的に同じ意味を示し前記重畳対象に表示位置を関連付けられない非重畳の状態で前記前景に重畳表示される非重畳コンテンツ（ＣＴｎ）を、前記前景に重畳表示させ（Ｓ１０３，Ｓ１２３，Ｓ３０４）、
前記重畳対象に関連した特定位置（ＧＰ）までの距離（Ｄｒ）又は当該特定位置に到達するまでの時間を把握し（Ｓ１０１，Ｓ１２１，Ｓ３０１）、
前記距離又は前記時間が閾値未満となった場合に、前記重畳コンテンツを前記重畳対象に重畳表示させる（Ｓ１０８，Ｓ１０９，Ｓ１２４，Ｓ３０９，Ｓ３１０）、
ことを含む処理を実行させる表示制御プログラム。
【請求項１９】
車両（Ａ）において用いられ、ヘッドアップディスプレイ（２０）による表示を制御する表示制御プログラムであって、
少なくとも一つの処理部（１１）に、
前記車両の前景に存在する特定の重畳対象（Ｔｒ）に重畳表示される重畳コンテンツ（ＣＴｓ）の表示に先立ち、前記重畳コンテンツと実質的に同じ意味を示し前記重畳対象に表示位置を関連付けられない非重畳の状態で前記前景に重畳表示される非重畳コンテンツ（ＣＴｎ）を、前記前景に重畳表示させ（Ｓ２０３，Ｓ２２２，Ｓ４０３）、
前記ヘッドアップディスプレイの画角（ＶＡ）内に前記重畳対象が入った場合に、前記重畳コンテンツを前記重畳対象に重畳表示させる（Ｓ２０６，Ｓ２０７，Ｓ２２３，Ｓ４０６）、
ことを含む処理を実行させる表示制御プログラム。
【請求項２０】
車両（Ａ）において用いられ、ヘッドアップディスプレイ（２０）による表示を制御する表示制御プログラムであって、
少なくとも一つの処理部（１１）に、
前記車両の前景に存在する特定の重畳対象（Ｔｒ）に重畳表示される第一重畳コンテンツ（ＣＴｓ１）の表示に先立ち、前記第一重畳コンテンツと同じ意味を示し前記重畳対象に非重畳の状態で前記前景に重畳表示される非重畳コンテンツ（ＣＴｎ）を、前記重畳対象に非重畳の状態で仮表示させた第二重畳コンテンツに重ねて表示させ（Ｓ４０３）、
前記ヘッドアップディスプレイの画角（ＶＡ）内に前記重畳対象が入った場合に、前記第一重畳コンテンツとは異なる表示形態の前記第二重畳コンテンツを前記重畳対象に重畳表示させると共に、前記非重畳コンテンツを前記第一重畳コンテンツへと態様変更させる（Ｓ４０６）、
ことを含む処理を実行させる表示制御プログラム。
【手続補正２】
【補正対象書類名】明細書
【補正対象項目名】０００６
【補正方法】変更
【補正の内容】
【０００６】
上記目的を達成するため、開示された一つの態様は、車両（Ａ）において用いられ、ヘッドアップディスプレイ（２０）による表示を制御する表示制御装置であって、車両の前景に存在する特定の重畳対象（Ｔｒ）に重畳表示される重畳コンテンツ（ＣＴｓ）と、重畳対象に表示位置を関連付けられない非重畳の状態で前景に重畳表示される非重畳コンテンツ（ＣＴｎ）と、を生成する表示生成部（７７）と、重畳対象に関連した特定位置（ＧＰ）までの距離（Ｄｒ）又は当該特定位置に到達するまでの時間を把握する対象位置把握部（７５）と、を備え、表示生成部は、重畳コンテンツの表示に先立ち、重畳コンテンツと実質的に同じ意味を示す非重畳コンテンツを表示させ、対象位置把握部によって把握される距離又は時間が閾値（ＴＨｓ）未満となったことに基づき、重畳コンテンツを重畳対象に重畳表示させる表示制御装置とされる。
【手続補正３】
【補正対象書類名】明細書
【補正対象項目名】０００７
【補正方法】変更
【補正の内容】
【０００７】
また開示された一つの態様は、車両（Ａ）において用いられ、ヘッドアップディスプレイ（２０）による表示を制御する表示制御装置であって、車両の前景に存在する特定の重畳対象（Ｔｒ）に重畳表示される重畳コンテンツ（ＣＴｓ）と、重畳対象に表示位置を関連付けられない非重畳の状態で前景に重畳表示される非重畳コンテンツ（ＣＴｎ）と、を生成する表示生成部（７７）と、ヘッドアップディスプレイの画角（ＶＡ）内に重畳対象があるか否かを判定する対象位置判定部（７６）と、を備え、表示生成部は、重畳コンテンツの表示に先立ち、重畳コンテンツと実質的に同じ意味を示す非重畳コンテンツを表示させ、対象位置判定部によって画角内に重畳対象が入ったと判定されたことに基づき、重畳コンテンツを重畳対象に重畳表示させる表示制御装置とされる。
【手続補正４】
【補正対象書類名】明細書
【補正対象項目名】０００８
【補正方法】変更
【補正の内容】
【０００８】
さらに開示された一つの態様は、車両（Ａ）において用いられ、ヘッドアップディスプレイ（２０）による表示を制御する表示制御プログラムであって、少なくとも一つの処理部（１１）に、車両の前景に存在する特定の重畳対象（Ｔｒ）に重畳表示される重畳コンテンツ（ＣＴｓ）の表示に先立ち、重畳コンテンツと実質的に同じ意味を示し重畳対象に表示位置を関連付けられない非重畳の状態で前景に重畳表示される非重畳コンテンツ（ＣＴｎ）を、前景に重畳表示させ（Ｓ１０３，Ｓ１２３，Ｓ３０４）、重畳対象に関連した特定位置（ＧＰ）までの距離（Ｄｒ）又は当該特定位置に到達するまでの時間を把握し（Ｓ１０１，Ｓ１２１，Ｓ３０１）、距離又は時間が閾値未満となった場合に、重畳コンテンツを重畳対象に重畳表示させる（Ｓ１０８，Ｓ１０９，Ｓ１２４，Ｓ３０９，Ｓ３１０）、ことを含む処理を実行させる表示制御プログラムとされる。
【手続補正５】
【補正対象書類名】明細書
【補正対象項目名】０００９
【補正方法】変更
【補正の内容】
【０００９】
また開示された一つの態様は、車両（Ａ）において用いられ、ヘッドアップディスプレイ（２０）による表示を制御する表示制御プログラムであって、少なくとも一つの処理部（１１）に、車両の前景に存在する特定の重畳対象（Ｔｒ）に重畳表示される重畳コンテンツ（ＣＴｓ）の表示に先立ち、重畳コンテンツと実質的に同じ意味を示し重畳対象に表示位置を関連付けられない非重畳の状態で前景に重畳表示される非重畳コンテンツ（ＣＴｎ）を、前景に重畳表示させ（Ｓ２０３，Ｓ２２２，Ｓ４０３）、ヘッドアップディスプレイの画角（ＶＡ）内に重畳対象が入った場合に、重畳コンテンツを重畳対象に重畳表示させる（Ｓ２０６，Ｓ２０７，Ｓ２２３，Ｓ４０６）、ことを含む処理を実行させる表示制御プログラムとされる。